(57)【要約】【課題】ミスト発生量を抑えながら、ユーザの印刷開始待ちの時間を極力短縮する。【解決手段】インクジェットヘッド１１０に供給されるインクの温度を測定する温度計１３５と、インクの種類毎に、インクの印刷可能下限温度、制限印刷温度、および制限印刷枚数を関連づけて、制限印刷条件として記憶するメモリ８１と、温度計１３５により測定されたインクの温度が、対応するインク種類の制限印刷温度以上であり、かつ対応するインク種類の印刷可能下限温度未満である場合に、インクジェットヘッド１１０に制限印刷枚数分だけ印刷を実行させる制御部８０とを備える。【選択図】      図３
2017007274.tif 000002
【特許請求の範囲】
【請求項１】
印刷ジョブに基づいてインクジェットヘッドから用紙にインクを吐出することにより印刷する印刷手段を有する本体装置と、前記本体装置に対して着脱可能に取り付けられたインクカートリッジとを備え、前記インクカートリッジから供給されたインクを温度調整手段により適正温度範囲内に温度調整して前記インクジェットヘッドに供給するインクジェット印刷装置であって、
前記インクジェットヘッドに供給されるインクの温度を測定する温度測定手段と、
前記インクの種類毎に、前記適正温度範囲の下限温度であるインクの印刷可能下限温度、前記印刷可能下限温度より低い制限印刷温度、および前記制限印刷温度から前記印刷可能下限温度の範囲で印刷手段による印刷を許容する制限印刷枚数を関連づけて、制限印刷条件として記憶する記憶手段と、
前記温度測定手段により測定されたインクの温度が、対応するインク種類の前記制限印刷温度以上であり、かつ対応するインク種類の前記印刷可能下限温度未満である場合に、前記記憶手段から前記装着されたインクカートリッジに貯留されたインクの種類に対応する制限印刷条件を抽出し、前記抽出した制限印刷条件に基づいて、前記印刷手段に前記制限印刷枚数分だけ印刷を実行させる制御手段と、
を備えたことを特徴とするインクジェット印刷装置。
【請求項２】
前記制御手段は、
前記本体装置内において発生が許容される発生ミスト量であるミスト許容量と、前記用紙１枚当たりに前記印刷手段により吐出されるインクのドロップ数と、前記印刷手段により吐出する単位ドロップ数当たりのミスト量とに基づいて、前記制限印刷枚数を算出し、算出した制限印刷枚数に基づいて前記制限印刷条件を生成する
ことを特徴とする請求項１記載のインクジェット印刷装置。
【請求項３】
前記印刷ジョブには、前記印刷手段により印刷を行う印刷枚数が含まれており、
前記制御手段は、
前記印刷ジョブに含まれる印刷枚数が前記制限印刷条件に含まれる制限印刷枚数以内である場合、前記印刷手段に前記印刷枚数分だけ印刷を実行させる一方、前記印刷ジョブに含まれる印刷枚数が前記制限印刷条件に含まれる制限印刷枚数を超える場合、前記温度測定手段に測定された温度が前記印刷可能下限温度に達するまで前記印刷手段による印刷の実行を禁止する
ことを特徴とする請求項１又は２記載のインクジェット印刷装置。
【請求項４】
前記印刷ジョブには、前記印刷手段により印刷を行う印刷枚数が含まれており、
前記制御手段は、
前記印刷ジョブに含まれる印刷枚数が前記制限印刷条件に含まれる制限印刷枚数以内である場合、前記印刷手段に前記印刷枚数分だけ印刷を実行させる一方、前記印刷ジョブに含まれる印刷枚数が前記制限印刷条件に含まれる制限印刷枚数を超える場合、前記印刷手段に前記制限印刷枚数分だけ印刷を実行させた後、前記温度測定手段により測定された温度が前記印刷可能下限温度に達するまで前記印刷手段による印刷の実行を禁止する
ことを特徴とする請求項１又は２記載のインクジェット印刷装置。
【請求項５】
請求項１に記載のインクジェット印刷装置の本体装置には、前記インクの種類毎に、前記適正温度範囲の下限温度であるインクの印刷可能下限温度、前記印刷可能下限温度より低い制限印刷温度、および前記制限印刷温度から前記印刷可能下限温度の範囲で印刷手段による印刷を許容する制限印刷枚数を関連づけて、制限印刷条件として記憶する記憶手段が記憶され、前記本体装置に対して着脱可能に取り付けられたインクカートリッジであって、
前記温度測定手段により測定されたインクの温度が、対応するインク種類の前記制限印刷温度以上であり、かつ対応するインク種類の前記印刷可能下限温度未満である場合に、前記本体装置が、前記記憶手段から前記装着されたインクカートリッジに貯留されたインクの種類に対応する制限印刷条件を抽出する際に必要な前記インクの種類を記憶するタグ記憶手段を備える
ことを特徴とするインクカートリッジ。
【発明の詳細な説明】
【技術分野】
【０００１】
本発明はミスト発生量を抑えながら、ユーザの印刷開始待ちの時間を極力短縮するインクジェット印刷装置およびインクカートリッジに関する。
【背景技術】
【０００２】
ライン型のインクジェット印刷装置は、インクジェットヘッドの下方に印刷媒体を搬送する搬送ベルトを備え、搬送ベルト内に設置された吸引ファンにより印刷媒体を搬送ベルト上に吸引しながら所定の搬送速度で搬送する。そして、インクジェットヘッドからインクを吐出することにより搬送された印刷媒体に印刷を行う。
【０００３】
このインクジェット印刷装置で用いられるインクは、低温では粘度が高く、高温では粘度が低いというように温度条件により粘度が変化する温度特性を有している。そして、このインクの粘度に応じて、インク滴の液滴径の大きさや吐出速度にばらつきが生じたり、吐出によるミストの発生量が増加し、高精細な印刷物を得ることができなくなる場合がある。
【０００４】
そのため、インクを適正な粘度になるように温度調節する必要がある。
【０００５】
特許文献１には、インクの温度を検出し、検出した温度が所定の温度以上になるまで、加温するインクジェット記録装置に関する技術が開示されている。
【先行技術文献】
【特許文献】
【０００６】
【特許文献１】特開２０１１−２０７０４９号公報
【発明の概要】
【発明が解決しようとする課題】
【０００７】
しかしながら、特許文献１に記載の技術では、例えば、インクジェット印刷装置が低温の環境下で長時間放置され、インクの温度が予め設定された印刷可能範囲未満となった場合に加温を開始するので、ユーザは、インクが加温されて温度が印刷可能範囲内となるまで待つ必要があった。
【０００８】
このように、ユーザは、ほんの数枚程度の少ない枚数の印刷物を印刷する場合であっても、インクが加温されて温度が印刷可能範囲内となるまで待つ必要があるので、その待ち時間が長く苛立ちを覚えていた。
【０００９】
ここで、インクの温度が印刷可能範囲未満まで低下したとしても、駆動電圧を変動させることにより、印刷可能になる場合がある。すなわち、温度が低い場合は粘度が高くなるのでインクジェットヘッドに印加する駆動電圧を高くすることにより適切な吐出量のインクを吐出することが可能となる。
【００１０】
しかしながら、駆動電圧を大きくすると、インクの吐出速度が増加し、発生するミスト量が増加してしまう。発生するミスト量が増加すると、プリンタ筐体内に付着するミストも増え、飛散したミストや筐体内に蓄積したミストが印刷用紙を汚して印刷品質が低下するという問題が生じる。
【００１１】
本発明は、上記課題に鑑みてなされたものであり、ミスト発生量を抑えながら、ユーザの印刷開始待ちの時間を極力短縮するインクジェット印刷装置およびインクカートリッジを提供することを目的とする。
【課題を解決するための手段】
【００１２】
上記目的を達成するため、本発明に係るインクジェット印刷装置の第１の特徴は、印刷ジョブに基づいてインクジェットヘッドから用紙にインクを吐出することにより印刷する印刷手段を有する本体装置と、前記本体装置に対して着脱可能に取り付けられたインクカートリッジとを備え、前記インクカートリッジから供給されたインクを温度調整手段により適正温度範囲内に温度調整して前記インクジェットヘッドに供給するインクジェット印刷装置であって、前記インクジェットヘッドに供給されるインクの温度を測定する温度測定手段と、前記インクの種類毎に、前記適正温度範囲の下限温度であるインクの印刷可能下限温度、前記印刷可能下限温度より低い制限印刷温度、および前記制限印刷温度から前記印刷可能下限温度の範囲で印刷手段による印刷を許容する制限印刷枚数を関連づけて、制限印刷条件として記憶する記憶手段と、前記温度測定手段により測定されたインクの温度が、対応するインク種類の前記制限印刷温度以上であり、かつ対応するインク種類の前記印刷可能下限温度未満である場合に、前記記憶手段から前記装着されたインクカートリッジに貯留されたインクの種類に対応する制限印刷条件を抽出し、前記抽出した制限印刷条件に基づいて、前記印刷手段に前記制限印刷枚数分だけ印刷を実行させる制御手段と、を備えたことにある。
【００１３】
本発明に係るインクジェット印刷装置の第２の特徴は、前記制御手段が、前記本体装置内において発生が許容される発生ミスト量であるミスト許容量と、前記用紙１枚当たりに前記印刷手段により吐出されるインクのドロップ数と、前記印刷手段により吐出する単位ドロップ数当たりのミスト量とに基づいて、前記制限印刷枚数を算出し、算出した制限印刷枚数に基づいて前記制限印刷条件を生成することにある。
【００１４】
本発明に係るインクジェット印刷装置の第３の特徴は、前記印刷ジョブには、前記印刷手段により印刷を行う印刷枚数が含まれており、前記制御手段が、前記印刷ジョブに含まれる印刷枚数が前記制限印刷条件に含まれる制限印刷枚数以内である場合、前記印刷手段に前記印刷枚数分だけ印刷を実行させる一方、前記印刷ジョブに含まれる印刷枚数が前記制限印刷条件に含まれる制限印刷枚数を超える場合、前記温度測定手段に測定された温度が前記印刷可能下限温度に達するまで前記印刷手段による印刷の実行を禁止することにある。
【００１５】
本発明に係るインクジェット印刷装置の第４の特徴は、前記印刷ジョブには、前記印刷手段により印刷を行う印刷枚数が含まれており、前記制御手段が、前記印刷ジョブに含まれる印刷枚数が前記制限印刷条件に含まれる制限印刷枚数以内である場合、前記印刷手段に前記印刷枚数分だけ印刷を実行させる一方、前記印刷ジョブに含まれる印刷枚数が前記制限印刷条件に含まれる制限印刷枚数を超える場合、前記印刷手段に前記制限印刷枚数分だけ印刷を実行させた後、前記温度測定手段により測定された温度が前記印刷可能下限温度に達するまで前記印刷手段による印刷の実行を禁止することにある。
【００１６】
本発明に係るインクカートリッジの第１の特徴は、請求項１に記載のインクジェット印刷装置の本体装置には、前記インクの種類毎に、前記適正温度範囲の下限温度であるインクの印刷可能下限温度、前記印刷可能下限温度より低い制限印刷温度、および前記制限印刷温度から前記印刷可能下限温度の範囲で印刷手段による印刷を許容する制限印刷枚数を関連づけて、制限印刷条件として記憶する記憶手段が記憶され、前記本体装置に対して着脱可能に取り付けられたインクカートリッジであって、前記温度測定手段により測定されたインクの温度が、対応するインク種類の前記制限印刷温度以上であり、かつ対応するインク種類の前記印刷可能下限温度未満である場合に、前記本体装置が、前記記憶手段から前記装着されたインクカートリッジに貯留されたインクの種類に対応する制限印刷条件を抽出する際に必要な前記インクの種類を記憶するタグ記憶手段を備えることにある。
【発明の効果】
【００１７】
本発明に係るインクジェット印刷装置の第１の特徴によれば、制御手段が、
温度測定手段により測定されたインクの温度が、対応するインク種類の制限印刷温度以上であり、かつ対応するインク種類の印刷可能下限温度未満である場合に、記憶手段から装着されたインクカートリッジに貯留されたインクの種類に対応する制限印刷条件を抽出し、抽出した制限印刷条件に基づいて、印刷手段に制限印刷枚数分だけ印刷を実行させる。
【００１８】
そのため、インクの粘度が高く、インクジェットヘッドの駆動電圧を高くして印刷する場合においても、ミスト発生量を抑制した範囲内で、直ぐに印刷を開始することができる。これにより、ユーザの印刷開始待ちの時間を極力短縮することができる。
【００１９】
なお、「制限印刷温度」とは、印刷可能下限温度より低い温度であり、駆動電圧をヘッド温度に応じて高くすることにより適切な吐出量のインクを吐出可能な温度のことである。
【００２０】
「制限印刷枚数」とは、制限印刷温度から印刷可能下限温度までの間（枚数制限付き印刷可能範囲）で印刷可能な印刷枚数のことである。
【００２１】
本発明に係るインクジェット印刷装置の第２の特徴によれば、制御手段が、本体装置内において発生が許容される発生ミスト量であるミスト許容量と、用紙１枚当たりに印刷手段により吐出されるインクのドロップ数と、印刷手段により吐出する単位ドロップ数当たりのミスト量とに基づいて、制限印刷枚数を算出し、算出した制限印刷枚数に基づいて制限印刷条件を生成する。
【００２２】
そのため、ユーザは煩わしい設定作業を行うことなく、適切な制限印刷枚数を設定することができる。これにより、ミスト発生量を抑制した範囲内で、直ぐに印刷を開始することができる。
【００２３】
本発明に係るインクジェット印刷装置の第３の特徴によれば、制御手段が、印刷ジョブに含まれる印刷枚数が制限印刷条件に含まれる制限印刷枚数以内である場合、印刷手段に印刷枚数分だけ印刷を実行させる一方、印刷ジョブに含まれる印刷枚数が制限印刷条件に含まれる制限印刷枚数を超える場合、温度測定手段に測定された温度が印刷可能下限温度に達するまで印刷手段による印刷の実行を禁止する。
【００２４】
そのため、印刷ジョブの途中で分断して印刷されることを防止し、印刷ジョブをひとまとまりとして印刷することができる。
【００２５】
本発明に係るインクジェット印刷装置の第４の特徴によれば、制御手段が、印刷ジョブに含まれる印刷枚数が制限印刷条件に含まれる制限印刷枚数以内である場合、印刷手段に印刷枚数分だけ印刷を実行させる一方、印刷ジョブに含まれる印刷枚数が制限印刷条件に含まれる制限印刷枚数を超える場合、印刷手段に制限印刷枚数分だけ印刷を実行させた後、温度測定手段により測定された温度が印刷可能下限温度に達するまで印刷手段による印刷の実行を禁止する。
【００２６】
そのため、印刷可能な枚数分の印刷を先行して印刷することができるので、ユーザはいち早く印刷物を確認することができる。また、制限印刷枚数分の印刷を実行している間に、インクの温度が上昇し、温度測定手段により測定された温度が印刷可能下限温度に達する可能性もあるので、この場合には印刷ジョブ全体の印刷をとぎれることなく印刷させることができる。
【００２７】
本発明に係るインクカートリッジの第１の特徴によれば、温度測定手段により測定されたインクの温度が、対応するインク種類の制限印刷温度以上であり、かつ対応するインク種類の印刷可能下限温度未満である場合に、本体装置が、記憶手段から装着されたインクカートリッジに貯留されたインクの種類に対応する制限印刷条件を抽出する際に必要なインクの種類を記憶するタグ記憶手段を備えている。
【００２８】
そのため、インクカートリッジを本体装置に装着するだけで、本体装置が、タグ記憶手段に記憶されたインクの種類を抽出し、記憶手段から抽出されたインクの種類に対応する制限印刷条件を抽出し、抽出した制限印刷条件に基づいて制御することができる。これにより、インクカートリッジの記憶容量を少なくすることができ、かつ、インクカートリッジに貯留されたインクの種類に応じて適切に制御することができる。
【図面の簡単な説明】
【００２９】
【図１】本発明の実施例１であるインクジェット印刷装置の構成を示す構成図である。
【図２】本発明の実施例１に係るインクジェット印刷装置のインク循環経路関連機構および制御部の機能構成を説明した図である。
【図３】本発明の実施例１に係るインクジェット印刷装置の機能を説明した説明図である。
【図４】本発明の実施例１に係るインクジェット印刷装置が備えるメモリに記憶された制限印刷条件の一例を示した図である。
【図５】インク温度と範囲を説明した説明図である。
【図６】インク温度と１ドロップ当たり発生するミスト量との関係を示した図である。
【図７】本発明の実施例１に係るインクジェット印刷装置における処理手順を示したフローチャートである。
【図８】ドロップ数と発生するミスト量との関係を示した図である。
【発明を実施するための形態】
【００３０】
以下、本発明の実施の形態を、図面を参照しながら詳細に説明する。
【００３１】
＜実施例１＞
本発明の実施例１では、Ｃ（シアン）、Ｍ（マゼンタ）、Ｙ（イエロー）、Ｋ（ブラック）のインクを吐出する本体装置と、本体装置に対して着脱可能に取り付けられたそれぞれの色のインクカートリッジとを備えたインクジェット印刷装置を例に挙げて説明する。
【００３２】
本発明の実施例１であるインクジェット印刷装置１の構成について詳細に説明する。図１は、本発明の実施例１であるインクジェット印刷装置１の構成を示す構成図である。
【００３３】
図１に示すように、インクジェット印刷装置１は、搬送経路上を搬送される印刷媒体である用紙Ｐに対し画像データに応じたインクを吐出して、用紙上に画像を形成する画像形成装置であって、サイド給紙部１０と、内部給紙部２０と、印刷部３０と、排紙部４０と、反転部５０とを備えている。
【００３４】
サイド給紙部１０は、用紙Ｐが積層される給紙台１１と、この給紙台１１から最上位置の用紙Ｐのみを給紙搬送路ＦＲ上へ搬送させるピックアップ給紙部１２と、このピックアップ給紙部１２によって搬送された用紙Ｐを斜行補正して、所定の搬送タイミングで循環搬送路ＣＲ上へ搬送するレジスト部１４とを備えている。搬送方向におけるレジスト部１４の手前には、レジストセンサ１４１が設けられており、搬送される用紙Ｐの先端又は後端を検出する。
【００３５】
内部給紙部２０は、用紙Ｐが積層される給紙台２１ａと、この給紙台２１ａから最上位置の用紙Ｐのみを給紙搬送路ＦＲ上へ搬送させるピックアップ給紙部２２ａと、用紙Ｐが積層される給紙台２１ｂと、この給紙台２１ｂから最上位置の用紙Ｐのみを給紙搬送路ＦＲ上へ搬送させるピックアップ給紙部２２ｂと、用紙Ｐが積層される給紙台２１ｃと、この給紙台２１ｃから最上位置の用紙Ｐのみを給紙搬送路ＦＲ上へ搬送させるピックアップ給紙部２２ｃと、用紙Ｐが積層される給紙台２１ｄと、この給紙台２１ｄから最上位置の用紙Ｐのみを給紙搬送路ＦＲ上へ搬送させるピックアップ給紙部２２ｄとを備えている。
【００３６】
このように、レジスト部１４には、サイド給紙部１０及び内部給紙部２０から用紙Ｐが搬送され、さらに、後述する反転部５０からも用紙Ｐが搬送される。そのため、搬送方向におけるレジスト部１４の手前には、給紙された用紙Ｐの搬送経路と、一方の面が印刷された用紙が循環して搬送されてくる搬送経路とが合流する合流地点が存在する。この合流地点を基準に、給紙機構側の経路を給紙搬送路ＦＲと称し、それ以外の搬送経路を循環搬送路ＣＲと称している。レジスト部１４のさらに搬送方向側には、印刷部３０が設けられている。
【００３７】
印刷部３０は、複数の印字ヘッドが組み込まれたインク吐出手段であるインクジェットユニット３１と、インクジェットユニット３１の対向面に設けられ、循環搬送路ＣＲに沿って摺動する環状の搬送ベルト１３３とを備えており、レジスト部１４により給紙された用紙Ｐは、環状の搬送ベルト１３３内に、用紙の搬送路面ＢＰの裏面に対応して設置され、搬送ベルト１３３上面に用紙Ｐを吸着させて搬送する吸引ファン１３１によって搬送ベルト１３３上に吸引され、所定の搬送速度で搬送されながら、インクジェットユニット３１から吐出されたインクにより用紙Ｐに印刷される。インクジェットユニット３１からインクが吐出されるとき、インク吐出によって発生した画像形成に使用しない微小液滴（サテライト）がミストとして発生する。発生したミストの一部は吸引ファン１３１により吸引される。
【００３８】
印刷部３０により印刷された用紙Ｐは、循環搬送路ＣＲ上に配置された搬送ローラ等によって筐体内において循環搬送路ＣＲ上を搬送される。循環搬送路ＣＲ上には、循環搬送路ＣＲ上を搬送された用紙Ｐを排紙部４０へ誘導するか、又は循環搬送路ＣＲ上を再循環させるかを切り替える切り替え機構４３が備えられている。
【００３９】
搬送手段の１つである切り替え機構４３は、用紙Ｐを、後述する排紙部４０又は反転部５０のいずれか１方へ誘導するために、切り替える。排紙部４０は、インクジェット印刷装置１の筐体から突出したトレイ形状をした排紙台４１と、排紙台４１に用紙Ｐを誘導する一対の排紙ローラ４２とを有している。そして、切り替え機構４３により排紙部４０に誘導された用紙Ｐは、排紙ローラ４２により排紙台４１に搬送され、排紙台４１に印刷面を下にして積載される。
【００４０】
搬送手段の１つである反転部５０は、用紙Ｐを反転させる反転台５１と、循環搬送路ＣＲから反転台５１へ用紙Ｐを搬送し、又は反転台５１から循環搬送路ＣＲ上へ用紙Ｐを搬送する反転ローラ５２とを備えている。
【００４１】
切り替え機構４３により反転部５０に誘導された用紙Ｐは、反転ローラ５２により循環搬送路ＣＲから反転台５１に搬送され、所定時間経過後、反転台５１から循環搬送路ＣＲへ搬送されることにより、循環搬送路ＣＲに対して表裏が反転する。そして、表裏が反転された用紙Ｐは、循環搬送路ＣＲ上に設けられた搬送ローラ５３等の複数のローラにより循環搬送路ＣＲ上を印刷部３０へ向かって搬送される。このように、両面印刷時において、切り替え機構４３により反転部５０は、表面印刷が終了した用紙Ｐを、裏面印刷のために表裏を反転させた後に再度循環搬送路ＣＲに戻し、搬送される用紙Ｐ間の割り込み対象となるページに用紙Ｐを割り込ませる割り込み動作を行う。
【００４２】
また、インクジェット印刷装置１の全体を制御する制御部８０を有している。この制御部８０は、ＣＰＵやＤＳＰ（Ｄｉｇｉｔａｌ Ｓｉｇｎａｌ Ｐｒｏｃｅｓｓｏｒ）等のプロセッサ、メモリ、及びその他の電子回路等のハードウェア、或いはその機能を持ったプログラム等のソフトウェア、又はこれらの組み合わせなどによって構成された演算モジュールである。制御部８０は、プログラムを適宜読み込んで実行することにより種々の機能モジュールを仮想的に構築し、構築された各機能モジュールによって、画像データに関する処理や、各部の動作制御、ユーザ操作に対する種々の処理を行う。具体的に、制御部８０は、サイド給紙部１０と、内部給紙部２０と、印刷部３０と、排紙部４０と、反転部５０とを制御することにより、印刷ジョブに基づいて印刷処理を実行する。
【００４３】
図２は、本発明の実施例１に係るインクジェット印刷装置１のインク循環経路関連機構および制御部８０の機能構成を説明した図である。
【００４４】
図２に示すように、インクジェット印刷装置１のインクジェットユニット３１は、Ｃ（シアン）、Ｍ（マゼンタ）、Ｙ（イエロー）、Ｋ（ブラック）のインクに対応するインクジェットヘッド１１０Ｃ，１１０Ｍ，１１０Ｙ，１１０Ｋを備えている。
【００４５】
インクカートリッジは、本体装置に着脱可能に構成され、インクが貯留されたインクボトルと、インクに関する各種の情報を記憶する非接触ＩＣとを備える。
【００４６】
各インクは、インクボトルから供給されるようになっており、Ｃ（シアン）のインクを供給するインクボトル１５１Ｃ、Ｍ（マゼンタ）のインクを供給するインクボトル１５１Ｍ、Ｙ（イエロー）のインクを供給するインクボトル１５１Ｙ、Ｋ（ブラック）のインクを供給するインクボトル１５１Ｋが備えられている。なお、以下においてインク色にこだわらない場合にはインクボトル１５１で代表させて説明する。他の機能部についても同様である。
【００４７】
インクボトル１５１から供給されたインクは、樹脂、金属等のパイプにより形成されたインク循環経路を通って、インクジェットヘッド１１０の下流側に設けられた下流タンクに一旦溜められる。このため、インクジェット印刷装置１には、Ｃ（シアン）のインクを溜める下流タンク１５９Ｃ、Ｍ（マゼンタ）のインクを溜める下流タンク１５９Ｍ、Ｙ（イエロー）のインクを溜める下流タンク１５９Ｙ、Ｋ（ブラック）のインクを溜める下流タンク１５９Ｋが備えられている。
【００４８】
インクジェット印刷装置１には、ポンプ１６０Ｃ、ポンプ１６０Ｍ、ポンプ１６０Ｙ、ポンプ１６０Ｋおよび上流タンク１５８Ｃ、上流タンク１５８Ｍ、上流タンク１５８Ｙ、上流タンク１５８Ｋが備えられている。下流タンク１５９に溜められたインクは、ポンプによりインクジェットヘッド１１０の上流側に設けられた上流タンクに送られる。上流タンク１５８に送られたインクは、インクを吐出する多数のノズルが設けられているインクジェットヘッド１１０に送液される。
【００４９】
上流タンク１５８は共通空気室１７２と接続されている。共通空気室１７２には、ポンプ１７３および図示しない大気開放弁が備えられており、大気開放弁を全閉してポンプ１７３により上流タンク１５８に空気を送り込んだり、大気開放弁を全開して大気圧にしたりすることにより、上流タンク１５８内の空気の圧力を調整する。
【００５０】
インクジェットヘッド１１０で吐出されなかったインクは、下流タンク１５９に戻される。上流タンク１５８からインクジェットヘッド１１０を経由して下流タンク１５９へのインク帰還は、上流タンク１５８と下流タンク１５９との水頭差を利用している。
【００５１】
インクは印刷品質が保証される温度範囲が定められており、環境温度が低く、インク温度が印刷可能である印刷下限温度を下回っているとインクを加熱する必要がある。一方、インクジェットヘッド１１０内に設けられたドライバやピエゾ素子は動作することにより発熱し、これらの発熱やインク振動のジュール熱により、高温時におけるインク温度上昇の影響等を抑制する必要がある。そこで、インク循環経路上に、温度調節器１６１が設けられており、温度調節器１６１により、インクは、加温又は冷却される。
【００５２】
また、インクジェットヘッド１１０毎に、各インク上流タンク１５８から各インクジェットヘッド１１０へインクが流入するそれぞれのインクの温度を測定し、この測定されたインクの温度を所定の時間間隔で制御部８０へ供給する温度計１３４（１３４Ｃ，１３４Ｍ，１３４Ｙ，１３４Ｋ）が設けられている。
【００５３】
さらに、インクジェットヘッド１１０毎に、各インクジェットヘッド１１０から各下流タンク１５９へインクが流出するそれぞれのインクの温度を測定し、この測定されたインクの温度を所定の時間間隔で制御部８０へ供給する温度計１３５（１３５Ｃ，１３５Ｍ，１３５Ｙ，１３５Ｋ）が設けられている。
【００５４】
図３は、本発明の実施例１に係るインクジェット印刷装置１の機能を説明した説明図である。
【００５５】
図３に示すように、本発明の実施例１に係るインクジェット印刷装置１は、インクカートリッジ１５０Ｋ，１５０Ｃ，１５０Ｍ，１５０Ｙと、本体装置２とを備えている。
【００５６】
本体装置２は、制御部８０と、メモリ８１と、操作パネル８２と、温度計１３４，１３５などの各種機器を備えている。
【００５７】
Ｋ（ブラック）のインクに対応するインクカートリッジ１５０Ｋは、それぞれインクボトル１５１Ｋと、非接触ＩＣ（符号１６２Ｋ）とを備えている。なお、ここでは、Ｋ（ブラック）のインクに対応するインクカートリッジ１５０Ｋを例に挙げて説明するが、他のインク色のインクも同様である。
【００５８】
非接触ＩＣ（符号１６２Ｋ）は、メモリ１６３Ｋを有しており、本体装置２の制御部８０との間で無線によるデータ通信を行う。
【００５９】
メモリ１６３Ｋは、インクカートリッジ１５０Ｋが製造された製造年月日、インクカートリッジ１５０Ｋが本体装置に装着された使用開始日、インクボトル１５１Ｋに貯留されたインク残量、インクボトル１５１Ｋに貯留されたインク種類を記憶している。なお、インク残量は、例えば、初期の量から、インクジェットヘッド１１０からの吐出量等を減算することにより算出することができる。インク種類は、Ｃ（シアン）、Ｍ（マゼンタ）、Ｙ（イエロー）、Ｋ（ブラック）などの色や、水性／油性などの溶剤の種類などを示しており、“１”から“６”などの識別数値で示されている。また、Ｃ（シアン）、Ｍ（マゼンタ）、Ｙ（イエロー）のインクに対応するインクカートリッジ１５０Ｃ，１５０Ｍ，１５０Ｙも同様に、製造年月日、インク残量、インク種類を記憶しており、本体装置２の制御部８０との間で無線によるデータ通信を行う。
【００６０】
メモリ８１は、インクジェット印刷装置１の制限印刷条件を記憶している。また、図示しないが、メモリ８１は、後述する制限印刷カウンタｋを記憶している。
【００６１】
図４は、メモリ８１に記憶された制限印刷条件の一例を示した図であり、図５は、それぞれの温度を説明した説明図である。
【００６２】
図４に示すように、メモリ８１には、インク種類と、印刷可能下限温度と、印刷可能上限温度と、制限印刷温度と、制限印刷枚数とが関連づけられて、制限印刷条件として記憶されている。
【００６３】
そして、インクカートリッジ１５０Ｋ，１５０Ｃ，１５０Ｍ，１５０Ｙのうちいずれかが本体装置２に装着された場合に、制御部８０は、装着されたインクカートリッジ１５０のメモリ１６３に記憶されたインク種類を抽出し、メモリ８１に記憶された制限印刷条件から、この抽出されたインク種類に対応する印刷可能下限温度と、印刷可能上限温度と、制限印刷温度と、制限印刷枚数とを抽出して設定する。すなわち、インクカートリッジ１５０Ｋ，１５０Ｃ，１５０Ｍ，１５０Ｙごとに、印刷可能下限温度と、印刷可能上限温度と、制限印刷温度と、制限印刷枚数とが設定される。
【００６４】
図５に示すように、印刷可能下限温度と印刷可能上限温度との間の温度範囲が印刷可能範囲となる。
【００６５】
インクは、低温では粘度が高く、高温では粘度が低いというように温度条件により粘度が変化する温度特性を有している。また、インクの粘度に応じて、インク滴の液滴径の大きさや吐出速度にばらつきが生じたり、吐出によるミストの発生量が増加し、高精細な印刷物を得ることができなくなる場合がある。
【００６６】
そのため、適切に印刷が可能なインクの温度範囲として、印刷可能下限温度と印刷可能上限温度との間の印刷可能範囲が設定されている。
【００６７】
印刷可能上限温度を超えると、インクの粘度が低下しすぎ、インクジェットヘッドから適切にインクを吐出することが困難となる。
【００６８】
一方、印刷可能下限温度未満の場合、インクの粘度が高くなるのでインク吐出量が少なくなってしまう。そのため、最適吐出量となるように検出された温度に基づいて駆動電圧をヘッド温度に応じて高くすることにより適切な吐出量のインクを吐出することができる。
【００６９】
しかしながら、図６に示すように、インク温度の低下により駆動電圧を大きくすると、インクの吐出速度が増加し、発生する１ドロップ当たりのミスト量が増加してしまう。発生するミスト量が増加すると、プリンタ筐体内に付着するミストも増え、飛散したミストや筐体内に蓄積したミストが印刷用紙を汚して印刷品質が低下するという問題が生じる。
【００７０】
そこで、管理者は、例えば予め１０°以下の温度で制限印刷温度と、その温度から印刷可能下限温度までの温度範囲での印刷枚数とを印字条件を種々に変化させる実験を行い、印刷用紙へのミスト影響度を考慮した上で、制限印刷温度および制限印刷枚数を決定し、決定した制限印刷温度および制限印刷枚数に基づいて、図４に示す制限印刷条件を予め作成しておく。なお、制限印刷温度は、印刷可能下限温度より低い温度であり、駆動電圧をヘッド温度に応じて高くすることにより適切な吐出量のインクを吐出可能な温度である。また、この制限印刷温度から印刷可能下限温度までの温度範囲を枚数制限付き印刷可能範囲という。但し、制限印刷温度及び制限印刷枚数の決定の仕方は、ミスト影響度を考慮したものであれば、上述の方法に限定されず、他の方法であってもよい。
【００７１】
また、制御部８０には、操作画面とタッチパネルとで構成された操作パネル８２が接続されている。この操作パネル８２は、インクジェット印刷装置１の上部に配置されている。この操作パネル８２は、図示しないスキャナ部にセットした印刷画像を複写印刷する場合や、外部から受け付けた印刷ジョブを印刷する場合の印刷枚数などの処理内容といった設定条件を、ユーザが入力する入力操作部等として利用できる。
【００７２】
操作パネル８２は、ユーザ操作により「枚数制限モード」を設定することができる。この「枚数制限モード」は、上述したように、インク温度が枚数制限付き印刷可能範囲内にあるときは、制限印刷枚数に限って印刷可能とするモードである。
【００７３】
制御部８０は、本体装置に装着されたインクカートリッジとの間で無線通信によりデータ転送を行う機能を有する。
【００７４】
また、制御部８０は、プログラムを適宜読み込んで実行することにより種々の機能モジュールを仮想的に構築し、画像データに関する処理や、各部の動作制御、ユーザ操作に対する種々の処理を行う。
【００７５】
具体的には、制御部８０は、温度計１３５により測定されたインクの温度が、対応するインク種類の制限印刷温度以上であり、かつ対応するインク種類の印刷可能下限温度未満である場合に、メモリ８１から、装着されたインクカートリッジに貯留されたインクの種類に対応する制限印刷条件を抽出し、抽出した制限印刷条件に基づいて、インクジェットヘッド１１０に制限印刷枚数分だけ印刷を実行させる。
【００７６】
また、制御部８０は、インクカートリッジのメモリ１６３からインク種類を読み出し、本体装置２のメモリ８１に記憶された制限印刷条件を参照して、読み出したインク種類に対応する印刷可能下限温度および印刷可能上限温度を取得する。そして、制御部８０は、温度計１３５により測定されたインクの温度が、印刷可能下限温度から印刷可能上限温度までの印刷可能範囲内に入るように、温度調節器１６１を制御して加温又は冷却することで温度調整を行う。
【００７７】
＜インクジェット印刷装置の作用＞
次に、本発明の実施例１に係るインクジェット印刷装置１の作用について説明する。
【００７８】
図７は、本発明の実施例１に係るインクジェット印刷装置１における処理手順を示したフローチャートである。なお、インクカートリッジ１５０Ｋ，１５０Ｃ，１５０Ｍ，１５０Ｙが本体装置２に装着された際やインクジェット印刷装置１の電源が投入された際に、制御部８０が装着されたインクカートリッジ１５０のメモリ１６３に記憶されたインク種類を抽出し、メモリ８１に記憶された制限印刷条件から、この抽出されたインク種類に対応する印刷可能下限温度と、印刷可能上限温度と、制限印刷温度と、制限印刷枚数とを抽出して設定している。すなわち、インクカートリッジ１５０Ｋ，１５０Ｃ，１５０Ｍ，１５０Ｙごとに、印刷可能下限温度と、印刷可能上限温度と、制限印刷温度と、制限印刷枚数とが設定されているものとする。
【００７９】
図７に示すように、実施例１に係るインクジェット印刷装置１は、印刷ジョブを受信すると（ステップＳ１０１）、印刷ジョブ毎に印刷枚数をカウントするための印刷カウンタｎに初期値として「１」を入力する（ステップＳ１０３）。
【００８０】
そして、制御部８０は、全ての温度計１３５（１３５Ｃ，１３５Ｍ，１３５Ｙ，１３５Ｋ）により測定されたインクの温度がそれぞれ対応する印刷可能範囲内か否かを判定する（ステップＳ１０４）。このとき、Ｃ（シアン）、Ｍ（マゼンタ）、Ｙ（イエロー）、Ｋ（ブラック）のうち１つでも印刷可能範囲外のインクがある場合には、制御部８０は、印刷可能範囲外であると判定する。
【００８１】
ステップＳ１０４において、全てのインクの温度がそれぞれ対応する印刷可能範囲内であると判定された場合（ＹＥＳ）、制御部８０は、処理をステップＳ１２３へ移行し、通常どおり印刷処理を実行する。
【００８２】
一方、ステップＳ１０４において、全てのインクの温度がそれぞれ対応する印刷可能範囲外であると判定された場合（ＮＯ）、制御部８０は、印刷可能範囲外であると判定されたインクの温度がそれぞれ対応する印刷可能下限温度未満か否かを判定する（ステップＳ１０５）。
【００８３】
ステップＳ１０５において、印刷可能範囲外であると判定されたインクの温度がそれぞれ対応する印刷可能下限温度未満ではないと判定された場合（ＮＯ）、印刷可能上限温度を超えているということになるので、制御部８０は、処理をステップＳ１２１へ移行させ、インクが温度調節器１６１により冷却されて印刷可能範囲内となるまでインク温度を監視する。
【００８４】
ステップＳ１０５において、印刷可能範囲外であると判定されたインクの温度がそれぞれ対応する印刷可能下限温度未満であると判定された場合（ＹＥＳ）、制御部８０は、枚数制限モードが有効か否かを判定する（ステップＳ１０６）。
【００８５】
ステップＳ１０６において、枚数制限モードが有効であると判定された場合（ＹＥＳ）、制御部８０は、メモリ８１から制限印刷カウンタｋを読み出す（ステップＳ１０７）。
【００８６】
次に、制御部８０は、全ての温度計１３５（１３５Ｃ，１３５Ｍ，１３５Ｙ，１３５Ｋ）により測定されたインクの温度がそれぞれ対応する制御印刷温度以上か否かを判定する（ステップＳ１０９）。このとき、Ｃ（シアン）、Ｍ（マゼンタ）、Ｙ（イエロー）、Ｋ（ブラック）のうち１つでも制御印刷温度未満のインクがある場合には、制御部８０は、制御印刷温度未満であると判定する（ＮＯ）。
【００８７】
ステップＳ１０９において、全ての温度計１３５（１３５Ｃ，１３５Ｍ，１３５Ｙ，１３５Ｋ）により測定されたインクの温度がそれぞれ対応する制御印刷温度以上であると判定された場合（ＹＥＳ）、制御部８０は、ｎ枚目の印刷を実行する（ステップＳ１１１）。具体的には、制御部８０は、吐出されるインクの吐出量が最適吐出量となるように、それぞれの温度計１３５により測定された温度に応じてインクジェットヘッド１１０へ印加する駆動電圧を設定し、設定された駆動電圧で印加することにより搬送される用紙Ｐに対して、インクを吐出する。
【００８８】
次に、制御部８０は、印刷カウンタｎの値、および制限印刷カウンタｋの値をそれぞれインクリメントした後（ステップＳ１１３）、制限印刷カウンタｋの値をメモリ８１に記憶する（ステップＳ１１５）。このように、制限印刷カウンタｋの値をメモリ８１に記憶することにより、印刷ジョブ単位で何枚印刷したかではなく、印刷ジョブにかかわらず枚数制限モード中に何枚印刷したかを把握することができる。
【００８９】
次に、制御部８０は、印刷ジョブに基づいて印刷が完了したか否かを判定し（ステップＳ１１７）、印刷が完了していない場合（ＮＯ）、制限印刷カウンタｋが制限印刷枚数を超えたか否かを判定する（ステップＳ１１９）。
【００９０】
ステップＳ１１９において、制限印刷カウンタｋが制限印刷枚数を超えていないと判定された場合（ＮＯ）、ステップＳ１０９〜Ｓ１１９の処理を繰り返し実行する。
【００９１】
その一方、ステップＳ１１９において、制限印刷カウンタｋが制限印刷枚数を超えたと判定された場合（ＹＥＳ）、枚数制限付き印刷可能範囲で印刷することにより発生したミスト量が許容ミスト量を超えたことになるので、制御部８０は、これ以上枚数制限付き印刷可能範囲内での印刷を認めず、処理をステップＳ１２１へ移行する。
【００９２】
そして、制御部８０は、温度計１３５（１３５Ｃ，１３５Ｍ，１３５Ｙ，１３５Ｋ）により測定された全てのインクの温度が印刷可能範囲内か否かを判定する（ステップＳ１２１）。
【００９３】
ステップＳ１２１において、温度計１３５（１３５Ｃ，１３５Ｍ，１３５Ｙ，１３５Ｋ）により測定された全てのインクの温度が印刷可能範囲内であると判定された場合（ＹＥＳ）、制御部８０は、制御印刷カウンタｋをゼロリセットした後（ステップＳ１２３）、ｎ枚目の印刷を実行する（ステップＳ１２５）。これにより、枚数制限モードが有効の場合、制限印刷枚数分だけ印刷した後、インクの温度が印刷可能範囲内となると印刷を継続することができる。
【００９４】
そして、制御部８０は、印刷カウンタｎをインクリメントした後（ステップＳ１２７）、印刷が完了したか否かを判定し（ステップＳ１２９）、印刷が完了していない場合は、処理をステップＳ１２１へ移行する。これにより、印刷ジョブ単位で最後まで印刷を継続することができる。
【００９５】
以上のように、インクジェット印刷装置１は、温度計１３５により測定されたインクの温度が、対応するインク種類の制限印刷温度以上であり、かつ対応するインク種類の印刷可能下限温度未満である場合に、インクジェットヘッド１１０に制限印刷枚数分だけ印刷を実行させるので、インクの粘度が高く、インクジェットヘッド１１０の駆動電圧を高くして印刷する場合においても、ミスト発生量を抑制した範囲内で、直ぐに印刷を開始することができる。これにより、ユーザの印刷開始待ちの時間を極力短縮することができる。
【００９６】
なお、図７に示したステップＳ１０６において、制限枚数印刷モードが有効と判定された場合（ＹＥＳ）、制御部８０が、印刷ジョブに含まれる印刷枚数が制限印刷条件に含まれる制限印刷枚数以内であるか判定するようにしてもよい。そして、印刷ジョブに含まれる印刷枚数が制限印刷条件に含まれる制限印刷枚数以内である場合に、印刷枚数分だけ印刷を実行させる一方、印刷ジョブに含まれる印刷枚数が制限印刷条件に含まれる制限印刷枚数を超える場合に、温度計１３５により測定された温度が印刷可能下限温度に達するまで印刷の実行を禁止するようにしてもよい。
【００９７】
例えば、印刷ジョブに含まれる印刷枚数が７０（枚）であり、制限印刷枚数が５０（枚）である場合、制御部８０は印刷することなく待機し、温度計１３５により測定された温度が印刷可能下限温度に達すると、印刷を開始する。
【００９８】
これにより、印刷ジョブの途中で分断して印刷されることを防止し、印刷ジョブをひとまとまりとして印刷することができる。
【００９９】
また、図７に示したステップＳ１０６において、制限枚数印刷モードが有効と判定された場合（ＹＥＳ）、制御部８０が、印刷ジョブに含まれる印刷枚数が制限印刷条件に含まれる制限印刷枚数以内であるか判定するようにしてもよい。そして、印刷ジョブに含まれる印刷枚数が制限印刷条件に含まれる制限印刷枚数以内である場合に、印刷枚数分だけ印刷を実行させる一方、印刷ジョブに含まれる印刷枚数が制限印刷条件に含まれる制限印刷枚数を超える場合に、制限印刷枚数分だけ印刷を実行させた後、温度計１３５により測定された温度が印刷可能下限温度に達するまで印刷の実行を禁止するようにしてもよい。
【０１００】
例えば、印刷ジョブに含まれる印刷枚数が７０（枚）であり、制限印刷枚数が５０（枚）である場合、制御部８０は、先に５０（枚）分の印刷を実行し、その後、残りの２０（枚）は、温度計１３５により測定された温度が印刷可能下限温度に達したときに印刷を再開する。
【０１０１】
これにより、印刷可能な枚数分の印刷を先行して印刷することができるので、ユーザはいち早く印刷物を確認することができる。また、制限印刷枚数分の印刷を実行している間に、インクの温度が上昇し、温度計１３５により測定された温度が印刷可能下限温度に達する可能性もあるので、この場合には７０（枚）分の印刷をとぎれることなく印刷させることができる。
【０１０２】
また、実施例１では、インクの温度は、温度計１３５（１３５Ｃ，１３５Ｍ，１３５Ｙ，１３５Ｋ）により測定された温度を採用したが、これに限らず、温度計１３４（１３４Ｃ，１３４Ｍ，１３４Ｙ，１３４Ｋ）により測定された温度を採用してもよいし、色ごとの平均値をインクの温度としてもよい。
【０１０３】
さらに、実施例１では、Ｃ（シアン）、Ｍ（マゼンタ）、Ｙ（イエロー）、Ｋ（ブラック）のインクを吐出する本体装置２とを備えたインクジェット印刷装置を例に挙げて説明したが、いずれか１つの色（単色）のインクを吐出するインクジェット印刷装置にももちろん適用可能である。
【０１０４】
具体的には、図７に示したフローチャートにおけるステップＳ１０９において、全ての温度計１３５（１３５Ｃ，１３５Ｍ，１３５Ｙ，１３５Ｋ）により測定されたインクの温度がそれぞれ対応する制御印刷温度以上か否かを判定したが、これに限らず、温度計１３５により測定されたインクの温度が制御印刷温度以上か否かを判定すればよい。
【０１０５】
＜実施例２＞
本発明の実施例１では、ユーザ入力により、インク種類と、印刷可能下限温度と、印刷可能上限温度と、制限印刷温度と、制限印刷枚数とが関連づけられて、制限印刷条件として、メモリ８１に記憶されていた。
【０１０６】
本発明の実施例２では、ミスト許容量と、印刷の際に用紙１枚当たりに吐出されるインクのドロップ数と、吐出する単位ドロップ数当たりのミスト量とに基づいて、制限印刷枚数を算出して制限印刷条件を生成し、メモリ８１に記憶するインクジェット印刷装置１を例に挙げて説明する。
【０１０７】
本発明の実施例２に係るインクジェット印刷装置１は、図１〜図３に示した構成と同一の構成を有するので、説明を省略する。
【０１０８】
図８は、ドロップ数と発生するミスト量との関係を示した図である。
【０１０９】
図８に示すように、インクジェットヘッド１１０から吐出されるドロップ数が多い、すなわち、印刷枚数が多いほどミスト量が増加する。
【０１１０】
そこで、本発明の実施例２に係るインクジェット印刷装置１では、筐体内に蓄積するミスト量が、許容されるミスト許容量Ｘ０以下となるように制限印刷枚数が設定される。
【０１１１】
制御部８０は、所定の周期に達すると、図４に示した制限印刷条件を更新する更新処理を実行する。具体的には、制御部８０は、下記の（数式１）を用いて、制限印刷枚数Ｓを算出する。
【０１１２】
Ａ×Ｄ×Ｓ＝Ｘ０    ・・・（数式１）
ここで、Ａは、インクジェットヘッド１１０から吐出される１ドロップ当たり発生する平均のミスト量である。図６に示したように、１ドロップ当たり発生する平均のミスト量は、インクの温度（例えば、１３５ｃ〜１３５ｋの温度平均値）によって推定される。
【０１１３】
そこで、制御部８は、図６の関係性と、温度計１３５（１３５Ｃ，１３５Ｍ，１３５Ｙ，１３５Ｋ）により測定された温度とに基づいて、１ドロップ当たり発生する平均のミスト量Ａを算出する。
【０１１４】
Ｄは、「用紙１枚を印刷するときの平均ドロップ数」である。用紙１枚当たりのドロップ数は、印刷ジョブに含まれる画像データの印字率により変動するが、ここでは、平均印字率として１８（％）を用い、この平均印字率でインクが吐出されたときのドロップ数を「用紙１枚を印刷するときの平均ドロップ数」とする。なお、この平均印字率は、Ｃ（シアン）、Ｍ（マゼンタ）、Ｙ（イエロー）、Ｋ（ブラック）がそれぞれベタ（１００％印字）で印字されたときのドロップ数を４００（％）としたときの、印字率を示している。
【０１１５】
すなわち、Ａ×Ｄが、用紙１枚当たりに発生するミスト量となる。なお、用紙１枚当たりに発生するミスト量は、例えば、Ａ４、Ａ３,Ｂ４など用紙サイズごとに算出するようにしてもよい。
【０１１６】
Ｘ０は、ミスト許容量を示しており、この値は、求める画質によって操作パネル８２からユーザが設定することができる。
【０１１７】
以上のように、制御部８０は、インクジェットヘッド１１０から吐出される１ドロップ当たり発生する平均のミスト量Ａと、用紙１枚を印刷するときの平均ドロップ数Ｄと、ミスト許容量Ｘ０とに基づいて、（数式１）を用いて、制限印刷枚数Ｓを算出する。
【０１１８】
そして、制御部８０は、算出した制限印刷枚数Ｓを、インク種類と、印刷可能下限温度と、印刷可能上限温度と、制限印刷温度と関連づけて制限印刷条件を生成し、生成した制限印刷条件をメモリ８１に記憶する。
【０１１９】
これにより、ユーザが制限印刷枚数を直接的に操作パネル８２から入力することなしに、制御部８０が自動的に制限印刷枚数を算出し、制限印刷条件を生成するので、ユーザは煩わしい設定作業を行うことなく、ミスト発生量を抑制した範囲内で、直ぐに印刷を開始することができる。
【０１２０】
なお、上記実施例２では、平均印字率として１８（％）を用い、平均印字率で用紙１枚にインクが吐出されたときのドロップ数を、用紙１枚を印刷するときの平均ドロップ数Ｄとしたが、これに限らない。
【０１２１】
例えば、直近の複数の印刷ジョブに基づいて、直近印字率を算出し、この直近印字率に基づいて、直近印字率で用紙１枚にインクが吐出されたときのドロップ数を、用紙１枚を印刷するときの平均ドロップ数Ｄとしてもよい。
【符号の説明】
【０１２２】
１…インクジェット印刷装置
２…本体装置
１０…サイド給紙部
２０…内部給紙部
３０…印刷部
３１…インクジェットユニット
４０…排紙部
５０…反転部
８０…制御部
８１…メモリ
８２…操作パネル
１１０Ｃ，１１０Ｍ，１１０Ｙ，１１０Ｋ…インクジェットヘッド
１３１…吸引ファン
１３３…搬送ベルト
１３４…温度計
１５０Ｋ，１５０Ｃ，１５０Ｍ，１５０Ｙ…インクカートリッジ
１５１Ｃ，１５１Ｋ，１５１Ｍ，１５１Ｙ…インクボトル
１６１…温度調節器
１６３…メモリ
１７２…共通空気室
１７３…ポンプ
【図１】
2017007274.tif 000003
【図２】
2017007274.tif 000004
【図３】
2017007274.tif 000005
【図４】
2017007274.tif 000006
【図５】
2017007274.tif 000007
【図６】
2017007274.tif 000008
【図７】
2017007274.tif 000009
【図８】
2017007274.tif 000010